(57)【要約】      （修正有）【課題】  露光・現像・印刷の流れを改善する事のできる、オフセット印刷用の、未露光生版およびその製造方法を提供する。【解決手段】  未露光のオフセット印刷用生版にたいし、レジスターマークとして横線分Ｘ１.Ｘ２・・及び縦線分Ｙ１.Ｙ２・・、と必要なパンチ孔又は切り欠きを予め設け、オフセット印刷用生版のレジスターマークとフィルムのレジスターが重なるように焼き付け、露光時に用いる画像フィルム用見当あわせのためのレジスターマークと共に、印刷機にセットするためのパンチ穴又は切り欠きを有するようにする。【選択図】  図１
2007033629.tif 000002
【特許請求の範囲】
【請求項１】
露光、現像して刷版とする未露光のオフセット印刷用生版であって、露光時に用いる画像フィルム用見当あわせのためのレジスターマークと共に、印刷機にセットするためのパンチ穴又は切り欠きを有することを特徴とするオフセット印刷用生版。
【請求項２】
前記レジスターマークとして、その延長線が互いに直行する、少なくとも１対の短い縦線分および横線分が設けられた、請求項１に記載されたオフセット印刷用生版。
【請求項３】
前記印刷用生版のサイズが、Ａ全、Ｂ全又は菊全である、請求項１又は２に記載されたオフセット印刷用生版。
【請求項４】
未露光のオフセット印刷用生版に、パンチ機能とプロッター機能を兼ね備えた、自動パンチ・プロッター装置を用いて所定位置にレジスターマークを記載した後、該レジスターマークと正確に対応した、印刷機にセットするためのパンチ穴又は切り込みを設けることを特徴とする、露光時に用いる画像フィルム用見当あわせのためのレジスターマークと共に、印刷機にセットするためのパンチ穴又は切り欠きを有するオフセット印刷用生版の製造方法。
【請求項５】
前記自動パンチ・プロッター装置が、レジスターマークの記載およびパンチ穴又は切り欠きを設ける前の生版を重ね積みし得る生版積置き台、最上部の生版のみを吸引し移動可能に上方に持ち上げる吸引装置、吸引した生版を吸引装置ごと生版パンチ・プロッター部へ移動させる為の駆動装置、移動させられた生版を非可動に固定すべく吸引し得る吸引孔を有する生版固定台、指定された位置にレジスターマークを記載し得るプロッター装置、および前記レジスターマークと正確に関連付けられた所定箇所にパンチする為の一穴型パンチ装置からなるパンチ・プロッターユニットを有する、請求項４に記載されたオフセット印刷用生版の製造方法。
【請求項６】
前記、記載されるべきレジスターマークの位置を予めコンピュータに入力することにより、前記自動パンチ・プロッターユニットを速やかに前記位置に移動させ、プロッター機能を用いてレジスターマークを記載すると共に印刷機にセットするための穴又は切り欠きを設けることを特徴とする、請求項４又は５に記載されたオフセット印刷用生版の製造方法。
【請求項７】
載置された生版が常に所定の位置に収まるように、少なくとも前記生版積置き台が傾斜している、請求項４〜６の何れかに記載されたオフセット印刷用生版の製造方法。
【発明の詳細な説明】
【技術分野】
【０００１】
本発明は、印刷機にセットする為のパンチ穴又は切り欠きを有する、未露光のオフセット印刷用生版およびその製造方法に関し、特に、露光時の見当合わせ用レジスターマークと共にオフセット印刷機にセットする為のパンチ穴又は切り欠きを有するオフセット印刷用生版およびその製造方法に関する。
【背景技術】
【０００２】
印刷機の稼動率を改善する為に、印刷機に刷版を係止する為のパンチ穴やＵ字型等の切り欠き（以下、パンチ穴等とする）を刷版に設ける等、印刷の前準備時間を短縮することを目的として、従来、レジスターパンチャーが使用されている。このレジスターパンチャーについては従来から多くの改善がなされており、最近においても、例えば「多色印刷用製版フィルムのパンチ装置」（特許文献１）や、「印刷版加工装置及びそのレジスターマーク位置検出方法」（特許文献２）の発明が開示されており、更に、露光現像されて積層された刷版の一枚一枚に、全自動で高精度のレジスターパンチを施すことの出来る装置も実用されるに至った（特許文献３）。
【０００３】
【特許文献１】特開平９−２５４０９７号公報
【特許文献２】特開２００１−１５０７号公報
【特許文献３】特開２００４−２５７１９号公報
【０００４】
上記従来のレジスターパンチャーは、何れも露光現像後の刷版にパンチ穴等を設けるために使用されるものであり、露光時に焼き付けられたレジスターマークを頼りに所定の位置にパンチ穴等を設けなければならないために、前記レジスターマークの読み取り精度の高い、高価なレジスターパンチャーを使用しなければならないという欠点があった。
【０００５】
そこで本発明者は、上記の欠点を解決するために鋭意検討した結果、パンチ装置にプロッター機能をも搭載させた場合には、画像形成前にレジスターマークを記載することができるので、生版にレジスターマークを記載し次いで同じ装置でパンチ穴を設けた場合には、常にレジスターマークとパンチ穴等の位置関係が一定となるので、これによって露光、現像、印刷の流れを従来以上に速やかなものとする事ができることを見出し、本発明に到達した。
【発明の開示】
【発明が解決しようとする課題】
【０００６】
従って本発明の第１の目的は、露光、現像、印刷の流れを従来以上に速やかにする事ができる、オフセット印刷用生版を提供する事にある。
本発明の第２の目的は、露光、現像、印刷の流れを従来以上に速やかなものとする事ができる、オフセット印刷用生版の製造方法を提供することにある。
【課題を解決するための手段】
【０００７】
本発明の上記の諸目的は、露光、現像して刷版とする未露光のオフセット印刷用生版であって、露光時に用いる画像フィルム用見当あわせのためのレジスターマークと共に、印刷機にセットするためのパンチ穴又は切り欠きを有することを特徴とするオフセット印刷用生版、及びその製造方法によって達成された。本発明においては、簡便且つ精度を上げられることから、前記レジスターマークとして、その延長線が互いに直行する、少なくとも１対の短い縦線分および横線分を記載する事が好ましい。本発明は、特に版サイズがＡ全、Ｂ全又は菊全であるときに有効である。
【発明の効果】
【０００８】
本発明のオフセット印刷用生版は、露光時に用いる画像フィルム用見当あわせのためのレジスターマークと共に、印刷機にセットするためのパンチ穴又は切り欠きを有するので、露光、現像、印刷の工程がスムースにつながり、製版からオフセット印刷までの作業を、従来以上に滑らかに行うことができる。
【発明を実施するための最良の形態】
【０００９】
本発明におけるレジスターマークは、通称トンボと呼ばれる十字のマークなど公知のマークの中から適宜選択する事ができるが、これらの公知のマークは平面図形であるため、２箇所以上にこのマークを設けても、それらの全てのマークで完全に一致させることは不可能である。従って、通常１つのマークのみを位置決めの規準とするので、その精度には限度がある。そこで、本発明においてはその延長線が互いに直行する、少なくとも１対の短い縦線分および横線分を、従来のレジスターマークの代わりに、レジスターマークとして生版の縦及び横の各辺の近傍に設ける事が好ましい。このようにすれば、少なくとも２箇所で基準合わせが同時になされるので精度を高めることができる。上記マークとしての線分を設けた辺の対辺側にも該線分と平行な線分をレジスターマークとして設けると、レジスターマークとして使用することのできる線分が増えるので作業性を向上させることができる。
【００１０】
以下本発明を図面によって詳述する。
図１は、レジスターマークと印刷機にセットするためのＵ字形の切り欠きを有する本発明の生版の典型的な例である。図中のＸはレジスターマークとして機能する横線分、Ｙは、レジスターマークとして機能する縦線分である。２点鎖線はフィルムの外形を表わす。本図は２面付け（フィルム２枚）、９ライン（レジスターマークとして機能する線分が９本）の場合である。
【００１１】
図２は、本発明で使用する自動パンチ・プロッター装置の平面概略図、図３は版の排出部を中心とした側面概略図である。図中の符号１は生版積み置き台、２はプロッターによる描画及びパンチングを行うために生版を吸引固定する生版固定台の台板であり、生版の幅の違いによって排気通路を切り替える台版切り替えバルブ１６を有している。上記生版積み置き台１には、３０枚程度の生版を積み置くことができる。符号３は、レジスターマークが記載されパンチ穴が設けられた本発明の生版を貯える可動式の貯版部である。可動式であるので、版の取り出しが容易である。また、符号４は吸引され移動する生版２０の下端によって次の版が傷つけられないように保護するセパレータであり、スクリーン又は布ベルト等からなる。このセパレータ４は、駆動モータ１７によって駆動される。
【００１２】
符号５は、レジスターマークが記載されパンチ穴が設けられた本発明の生版を貯版部３に導く間隙である。本発明の生版は、一部を除きＶベルトで繋がれ駆動モータで回転する排出部駆動ローラ１８に乗って排出される。この場合、排出部駆動ローラ１８に乗った生版２１は、排出部吸引ファン１９によって、排出部駆動ローラ１８から離れないように吸引されながら貯版部まで導かれ、排出部駆動ローラ１８の最後部に達したときに排出部吸引ファン１９が停止し、搬送された生版２２が貯版部３に自然に倒れ込むようになっている。
【００１３】
符号６は、Ｙ軸装置台１４のＹ軸リニアレール１３に沿って移動するＸ軸装置台である。符号７は、Ｙ軸レール上を移動して所定の位置に生版をセット又は排出する吸引装置ユニット８を除く、Ｘ軸装置ユニットであり、このＸ軸装置ユニット７内に、パンチユニットおよびプロッターユニットが配置されている。符号９は、生版の幅の違いによって使用する吸引装置ユニットを切り替える、吸引装置ユニット切り替えバルブ、１０は、吸引装置を除くＸ軸装置をＸ座標方向に移動させるためのＸ軸ボールネジ部、１１はＸ軸ボールネジ駆動ステッピングモーター、１２は、吸引装置を除くＸ軸装置をＸ座標方向に移動させるためのＸ軸リニアレール、１３は、吸引装置を除くＸ軸装置をＹ座標方向に移動させるためのＹ軸ボールネジ部、１４は、吸引装置を除くＸ軸装置をＹ座標方向に移動させるためのＹ軸リニアレールである。
【００１４】
図４は、本発明で使用する自動パンチ・プロッター装置における、パンチ・プロッターユニットの側面概略図である。図中の符号３０はプロッターユニット用エアー・シリンダー、３１はプロッターユニット、３２はパンチ・プロッターユニット用エアー・シリンダー、３３はパンチ用エアー・シリンダー、３４はパンチユニットである。
【００１５】
図５は、図示しないコントロールパネル部の平面図の例である。図中の符号１０１は、作業を所定のデータに従って行い、又は作業を中断するときに使用するスタートボタン、１０２は電源スイッチ、１０３は、各種設定値の入力音や機械のエラーを音で知らせるブザー、１０４はデータ入力のためのテン・キー、１０５は表示部のカーソルを戻すときに使用するボタン、１０６は表示部のカーソルを進めるときに使用するボタン、１０７はパンチ・プロッターモード切り替えボタン、１０８は入力データを確定するためのエンター・キー、１０９〜１１２はデータ表示部である。
【００１６】
上記自動パンチ・プロッター装置を用いて本発明の生版を作成するに際しては、先ず電源スイッチ１０２を入れて、自動的に機械をスタート位置に移動させると共に、生版積み置き台１に生版を必要枚数セットする。次いで、セットした生版のサイズ、描画すべきレジスターマークの位置などのデータをコントロールパネルから入力し、生版の幅に対応させて吸引装置および生版固定台の台板切り替えバルブ、それぞれ９および１６をセットする。
【００１７】
コントロールパネルのデータが正しいことを確認してからスタートボタン１０１を押すと、吸引装置ユニット８が生版積み置き台１の最上部の生版を吸引すべく図３のＤの位置に移動し、１枚目を吸引して引き上げたところでセパレーター４が次の生版との間に入り込み、１枚目の生版と２枚目の生版が完全に分離される。生版を吸引した吸引装置ユニット８は、生版を生版固定台台板２の所定の位置（図３のＢの位置）にセットするためにＹ軸リニアレール１４に沿って移動し、生版が生版固定台台板２の所定の位置に吸引固定された後前記吸引装置ユニット８による吸引が解かれ、入力データに従って最初のレジスターマークの位置にプロッターユニット３１が移動して、レジスターマークが描画される。
【００１８】
レジスターマークの描画が終了すると、正確に関連付けられた位置に一穴型パンチユニット３４が移動し、印刷機にセットするためのパンチ穴または切り欠きを設ける。その後の作業を行う者の安全のために、面取り専用のカッター（図示せず）で角を丸く切り落とすことが好ましい。尚、パンチユニット３４が生版上部を移動する場合には、パンチ・プロッターユニット用エア・シリンダー３２によって、生版を傷つけないように生版の上方に移動している。穿孔する場合には、パンチユニット３４全体が下方に移動し、パンチを完了する。この場合のパンチの形状は任意であるが、通常は、円形状、楕円形状又はＵ字形状である。レジスターマークの描画とパンチングの全ての作業が終了すると、得られた本発明の生版を貯版部３に搬出する。
【００１９】
従来、レジスターマークとしては通常十字の印が用いられるが、本発明においては、延長線はそれぞれ互いに直交するものの、何れも単なる短い線分である横線および縦線をレジスターマークの代わりに使用することが好ましい。このようにすることによって、露光フィルムの見当あわせの場合の基準点を複数にする事ができるので、基準としての精度が高まる。
【００２０】
また一般に、ポスターのような大判の場合は別として、オフセット印刷の刷版を作成する場合、一枚の画像フィルムが一枚の刷版に対応するという事はなく、例えば図６に示すように、一枚の印刷原版は４つの区画に分割され、各区画にそれぞれ画像フィルムを並べてテープで貼り付け、焼き付けが行われる。この画像が４色刷りのカラー画像である場合には、１６枚のポジフィルムが使用され、それぞれが上記の様に貼り付けられ焼き付けられる事になる。従来は、画像及び画像位置を示すレジスターマークが焼き付けられた、いわば画像として完成された刷版に、前記レジスターマークに基づいて正しい位置にパンチ穴をあけるということがなされて来たが、各フィルムにおける画像位置が必ず正確に一致するという事はないので、各画像に色ずれを生じさせないようにすることは著しく困難となっていた。
【００２１】
しかしながら本発明によれば、焼付け前の生版に、直接、Ｘ１、Ｘ２・・、Ｙ１、Ｙ２・・等のレジスターマークおよび必要なパンチ穴等を予め設けておくので、記載したレジスターマークとフィルムのレジスターマークがぴったり重なるようにフィルムを固定して焼き付け・現像すれば、印刷機にかけられる刷版が直接得られる。このように、現像後にパンチ穴等を設ける必要がないので、作業性が向上する上精度も向上し、前記色ずれは殆ど生じない。
本発明においては、現像後にレジスターマークを使用することはないので、焼付け光線を遮らない水色で描画することが好ましく、また、現像時には消失するような水性インクを用いて行う事が好ましい。
【産業上の利用可能性】
【００２２】
本発明のオフセット印刷用生版は、露光時に用いる画像フィルム用見当あわせのためのレジスターマークと共に、印刷機にセットするためのパンチ穴又は切り欠きを有するので、露光、現像、印刷の各工程がスムースにつながり、製版からオフセット印刷までの流れが極めて滑らかになるので、産業上極めて有意義である。
【図面の簡単な説明】
【００２３】
【図１】レジスターマークと印刷機にセットするためのＵ字形の切り欠きを有する、本発明の生版の典型的な例である。
【図２】本発明で使用する自動パンチ・プロッター装置の平面概念図である。
【図３】図２の自動パンチ・プロッター装置の、版排出部を中心とした側面概略図である。
【図４】本発明で使用する自動パンチ・プロッター装置における、パンチ・プロッターユニットの、拡大説明図である。
【図５】本発明で使用する自動パンチ・プロッター装置のコントロールパネルの一例を示す図である。
【図６】印刷原版が４つの区画に分割される場合の例である。
【符号の説明】
【００２４】
１．生版積み置き台
２．自動パンチ・プロッタ装置における生版固定台の台板
３．貯版部
４．セパレータ
５．版排出のための間隙
６．Ｘ軸装置台
７．Ｘ軸装置ユニット
８．吸引装置ユニット
９．吸引装置ユニット切り替えバルブ
１０．Ｘ軸ボールネジ部
１１．Ｘ軸ボールネジ駆動ステッピングモーター
１２．Ｘ軸リニアレール
１３．Ｙ軸ボールネジ部
１４．Ｙ軸リニアレール
１５．Ｙ軸駆動装置台
１６．生版固定台の台板切り替えバルブ
１７．セパレータ駆動モーター
１８．排出部駆動ローラ
１９．排出部吸引用ファン
２０．生版積み置き台にセットされた生版
２１．排出部に送り込まれた生版
２２．貯版部に収納された生版
３０．プロッターユニット用エアー・シリンダ
３１．プロッターユニット
３２．パンチ・プロッターユニット用エアー・シリンダ
３３．パンチ用エアー・シリンダ
３４．パンチユニット
１０１．スタートボタン
１０２．電源スイッチ
１０３．ブザー
１０４．テン・キー
１０５．表示部のカーソルを戻すときのボタン
１０６．表示部のカーソルを進めるときのボタン
１０７．パンチ・プロッターモード切り替えボタン
１０８．エンター・キー
１０９．データ表示部
１１０．データ表示部
１１１．データ表示部
１１２．データ表示部
【図１】
2007033629.tif 000003
【図２】
2007033629.tif 000004
【図３】
2007033629.tif 000005
【図４】
2007033629.tif 000006
【図５】
2007033629.tif 000007
【図６】
2007033629.tif 000008